(57)【特許請求の範囲】
【請求項１】
再生用ＶＴＲと記録用ＶＴＲを１つの筐体内に配置したダブルデッキビデオテープレコーダにおいて、
前記再生用ＶＴＲから前記記録用ＶＴＲに、輝度信号（Ｙ）及び色信号（Ｃ）に分離した状態で送出し、かつ前記再生用ＶＴＲ内の輝度信号再生処理回路（１４）で生成されるハイバンド検出信号（３３）を前記記録用ＶＴＲに送出し、
前記記録用ＶＴＲは、輝度信号用のローパスフィルタ（１９）の出力側に第１の切換手段（３２）を設け、前記第１の切換手段は前記ローパスフィルタの入力と出力を前記ハイバンド検出信号により切り換え可能とし、
前記第１の切換手段を切り換えることにより、ハイバンド時は前記ローパスフィルタの出力を、ノーマルバンド時は前記ローパスフィルタの入力を後段の輝度信号記録処理回路（２０）に出力し、
さらに、前記記録用ＶＴＲは、色信号用のバンドパスフィルタ（２１ａ）の出力側に第２の切換手段（３４）を設け、前記第２の切換手段は前記バンドパスフィルタの入力と出力を前記ハイバンド検出信号により切り換え可能とし、
前記第２の切換手段を切り換えることにより、ハイバンド時は前記バンドパスフィルタの出力を、ノーマルバンド時は前記バンドパスフィルタの入力を後段の色信号記録処理回路（２２）に出力する、
ことを特徴とするダブルデッキビデオテープレコーダ。
【請求項２】
前記輝度信号再生処理回路は、再生ヘッド（１１）からの再生信号をハイパスフィルタ（１３）を経て入力し、前記ハイバンド検出信号を出力するハイバンド検出器（４２）を備える請求項１に記載のダブルデッキビデオテープレコーダ。
【請求項３】
前記輝度信号再生処理回路は、再生ヘッド（１１）からの再生信号をハイパスフィルタ（１３）を経て受けるノーマルバンドイコライザ（４０）及びハイバンドイコライザ（４１）の両方の出力を切り換える第３の切換手段（４３）をさらに備え、前記第３の切換手段は前記ハイバンド検出信号により、ノーマルバンド（Ｌ）とハイバンド（Ｈ）の切り換えが行われる請求項２に記載のダブルデッキビデオテープレコーダ。
【請求項４】
前記輝度信号再生処理回路は、前記第３の切換手段の出力を受けるＦＭ復調器（４４）からの出力を、第１及び第２のローパスフィルタ（４５，４６）を経て受ける第４の切換手段（４７）を備え、前記第４の切換手段は前記ハイバンド検出信号により、ノーマルバンド（Ｌ）とハイバンド（Ｈ）の切り換えが行われる請求項３に記載のダブルデッキビデオテープレコーダ。
【発明の詳細な説明】
【０００１】
【産業上の利用分野】
本発明はビデオテープレコーダ（以下、ＶＴＲ）に関し、特に、２台のＶＴＲを１つの筐体内に配置し映像信号及び音声信号の複製や編集を可能にした、いわゆるダブルデッキＶＴＲにおける映像信号処理回路に関する。
近年、カメラとＶＴＲをコンパクトに一体化したカメラ一体型ＶＴＲが著しく普及している。一方、例えば、２台のＶＴＲを１つの筐体内に配置したダブルデッキＶＴＲが市場に導入され普及しつつあるが、導入された背景には、このダブルデッキＶＴＲはカメラ一体型ＶＴＲで録画したテープを編集する（ダビングする）のに便利である、という背景があるからと推察されている。
【０００２】
【従来の技術】
図３は従来のダブルデッキＶＴＲの要部ブロック構成図である。本図は、２台のＶＴＲ（５０，５１）を１つの筐体内に配置し、テープ編集を行う機能を持たせた家庭用ダブルデッキＶＴＲにおける映像信号処理系の要部ブロック構成図である。
【０００３】
図中、５０は再生用ＶＴＲ、５１は記録用ＶＴＲである。再生用ＶＴＲは、Ｓ−ＶＨＳ又はＶＨＳ信号によるＶＨＳ−Ｃ方式か、Ｈｉ−８方式を含む８ミリ方式かの何れかであり、記録用ＶＴＲはＶＨＳ方式が一般的に用いられる。
このような構成において、再生用ＶＴＲ（５０）では、記録済みテープ１０を走行させると回転磁気ヘッド１１から再生信号が取り出され、プリアンプ１２より所定の振幅まで増幅される。この増幅された再生信号は、輝度信号を分離するハイパスフィルタ（ＨＰＦ）１３と、色信号を分離するローパスフィルタ（ＬＰＦ）１５に供給される。さらに、ハイパスフィルタ１３の出力は輝度信号再生処理回路（Ｙ処理）１４に、ローパスフィルタ１５の出力は色信号再生処理回路（Ｃ処理）１６にそれぞれ供給される。
【０００４】
輝度信号再生処理回路１４は、輝度信号（Ｙ）を復調してディエンファシス、ノイズキャンセラ等の処理を行う。一方、色信号再生処理回路１６は、色信号成分（Ｃ）を元の周波数に変換する。これらの再生処理回路１４及び１６の出力は、混合器１７に加えられた後、合成ビデオ信号として端子１８に供給される。
一方、記録用ＶＴＲ（５１）では、端子１８に与えられた合成ビデオ信号が、ローパスフィルタ（ＬＰＦ）１９とバンドパスフィルタ（ＢＰＦ）２１に供給され、輝度信号及び色信号に分離される。輝度信号は輝度信号記録処理回路（Ｙ処理）２０にて周波数変調されたエンファシス等の処理が行われる。一方、色信号は色信号記録処理回路（Ｃ処理）２２にて低域の周波数に変換される。これらの信号は混合器２３により混合され記録増幅器２４にて増幅され、磁気ヘッド２５を介して磁気テープ２６に記録される。
【０００５】
【発明が解決しようとする課題】
上述のダブルデッキＶＴＲでは、図示から明らかように、単に従来の２台のＶＴＲを再生系と記録系に独立に構成し、１つの筐体内に収納したもの過ぎない。一方、家庭用ＶＴＲのようなシステムでは、ダビングを１回するだけでも著しい画質の劣化を来す。従って、カメラ一体型ＶＴＲの普及に伴いダブルデッキＶＴＲに対して編集機能の充実と共に、高画質化が要求されている。
【０００６】
本発明の目的は、ダブルデッキＶＴＲにおいて、ダビングに際して画質劣化を出来るだけ少なくすることが可能な映像信号処理回路を提供することにある。
【０００７】
【課題を解決するための手段】
本発明は、再生用ＶＴＲと記録用ＶＴＲを１つの筐体内に配置したダブルデッキビデオテープレコーダにおいて、
再生用ＶＴＲ５０ａから記録用ＶＴＲ５１ａに、輝度信号（Ｙ）及び色信号（Ｃ）に分離した状態で送出し、かつ再生用ＶＴＲ内の輝度信号再生処理回路１４で生成されるハイバンド検出信号３３を記録用ＶＴＲに送出し、
記録用ＶＴＲは、輝度信号用のローパスフィルタ１９の出力側に第１の切換手段３２を設け、第１の切換手段はローパスフィルタの入力と出力をハイバンド検出信号により切り換え可能とし、
第１の切換手段を切り換えることにより、ハイバンド時はローパスフィルタの出力を、ノーマルバンド時はローパスフィルタの入力を後段の輝度信号記録処理回路２０に出力し、
さらに、記録用ＶＴＲは、色信号用のバンドパスフィルタ２１ａの出力側に第２の切換手段３４を設け、第２の切換手段はバンドパスフィルタの入力と出力をハイバンド検出信号により切り換え可能とし、
第２の切換手段を切り換えることにより、ハイバンド時はバンドパスフィルタの出力を、ノーマルバンド時はバンドパスフィルタの入力を後段の色信号記録処理回路２２に出力する、ことを特徴とする。
【０００８】
また、輝度信号再生処理回路は、再生ヘッド１１からの再生信号をハイパスフィルタ１３を経て入力し、ハイバンド検出信号を出力するハイバンド検出器４２を備え、
さらに、輝度信号再生処理回路は、再生ヘッド１１からの再生信号をハイパスフィルタ１３を経て受けるノーマルバンドイコライザ４０及びハイバンドイコライザ４１の両方の出力を切り換える第３の切換手段４３を備え、第３の切換手段はハイバンド検出信号により、ノーマルバンド（Ｌ）とハイバンド（Ｈ）の切り換えが行われ、
さらに、輝度信号再生処理回路は、第３の切換手段の出力を受けるＦＭ復調器４４からの出力を、第１及び第２のローパスフィルタ４５，４６を経て受ける第４の切換手段４７を備え、第４の切換手段はハイバンド検出信号により、ノーマルバンド（Ｌ）とハイバンド（Ｈ）の切り換えが行われる。
【０００９】
【作用】
本発明では、再生用ＶＴＲにおいて混合器にて加算されていた輝度信号と色信号を、加算せずに分離したままで記録用ＶＴＲに伝送する。記録用ＶＴＲは輝度信号及び色信号専用の分離端子を設ける。そして、切換スイッチ（３２，３４）を切り換えて、入力される輝度信号が通常の８ミリ信号若しくはＶＨＳ信号のときは、従来使用していたローパスフィルタ（ＬＰＦ）１９をバイパスして輝度信号記録処理回路２０に入力される。一方、入力される輝度信号がＨｉ−８信号若しくはＳ−ＶＨＳ信号のときは、ローパスフィルタ１９を介して輝度信号記録処理回路２０に入力される。この切換手段は再生側のハイバンド検出器（４２）（図２参照）からの出力で自動的に切り換えられる。
【００１０】
このような切換スイッチを配置することにより、再生用ＶＴＲから出力される通常の８ミリ信号若しくはＶＨＳ信号の再生輝度信号は従来方式に比べて、ローパスフィルタ１９を経ないで輝度信号記録処理回路に直接入力されるため、ダビングにおいても、より画質劣化の少ない状態で記録することができる。
【００１１】
【実施例】
図１は本発明の一実施例ブロック構成図である。図３の従来構成と同一要素には同一参照番号を付す。輝度信号再生処理回路１４からは、ＶＨＳ−Ｃ方式の場合は、Ｓ−ＶＨＳか、ＶＨＳかの判別信号を出力し、８ミリ方式の場合は、Ｈｉ−８方式か、通常の８ミリ方式かの判別信号が出力され、信号線３３を経て切換手段３２及び３４の制御用信号として使用される。
【００１２】
端子３０及び３１は、各々再生輝度信号専用端子及び再生色信号専用端子である。
切換手段３２は、その中点が輝度信号記録処理回路２０の入力側に接続されており、選択される一方の端子はローパスフィルタ１９の出力側に、他方の端子はローパスフィルタ１９の入力側に接続されている。一方、切換手段３４は、その中点が色信号記録処理回路２２の入力側に接続されており、選択される一方の端子はバンドパスフィルタ（ＢＰＦ）２１ａの出力側に、他方の端子はバンドパスフィルタ２１ａの入力側に接続されている。
【００１３】
図２は図１に示す輝度信号再生処理回路１４の詳細ブロック図である。輝度信号再生処理回路１４は信号線３３を経て切換手段３２及び３４への制御信号を発生する回路である。図中、４０及び４１は磁気テープ及び磁気ヘッドで損失するＦＭ信号の高域部分を補正するイコライザ回路（ハイバンドＦＭＥＱ）であり、４０はノーマルバンド用であり、４１はハイバンド用である。４２は再生ＦＭ信号の搬送波を判別し、判別信号を生成する検出回路である。４３は切換スイッチである。４４はＦＭ復調回路である。４５及び４６は復調後の不要な搬送波を除去するローパスフィルタ（ＬＰＦ１，ＬＰＦ２）である。
【００１４】
以下に本発明の動作を説明する。以下の説明では、再生用ＶＴＲ５０ａは８ミリ方式とし、通常のシステムをノーマルバンド、Ｈｉ−８方式をハイバンドと称する。一方、記憶用ＶＴＲはＶＨＳ方式とし、Ｓ−ＶＨＳ方式での記録はできないものとする。但し、再生用ＶＴＲは、ＶＨＳ−Ｃ方式であってＶＨＳ方式とＳ−ＶＨＳ方式に置き換えることもできる。
【００１５】
図１において、記録済みテープ１０から回転磁気ヘッド１１により再生信号が取り出され、プリアンプ１２により所定の振幅まで増幅される。この増幅された再生信号は、低域変換された色信号と、ＦＭ変調された輝度信号が混合された状態であるから、ハイパスフィルタ１３によりＦＭ信号が、ローパスフィルタ１５により低域変換された色信号が取り出される。
【００１６】
８ミリ方式の場合、低域変換色信号は、通常、７３４ＫＨｚ±０．５ＫＨｚであり、ＦＭ輝度信号は、４．２〜５．４ＭＨｚ（ノーマルバンド）及び５．７〜７．７ＭＨｚ（ハイバンド）となっている。色信号は、ノーマルバンド及びハイバンド共に共通しているので、ローパスフィルタ１５の後処理である色信号再生処理回路１６は共通である。輝度信号再生処理回路１４は記録ＦＭ周波数がノーマルバンド及びハイバンドとも相違するので（この差があるので、ノーマルバンド及びハイバンドと称する）、この動作については図３で説明する。
【００１７】
図２において、ハイパスフィルタ１３から端子１３０を経て入力されるＦＭ信号は、ノーマルＦＭイコライザ（ＦＭＥＱ）４０、ハイバンドＦＭイコライザ（ＦＭＥＱ）４１、及びハイバンド検出器４２に分配される。ハイバンド検出器４２は、映像信号中の水平同期信号部（図示せず）が画像内容によって変化しないことを利用して、ＦＭ信号中の水平同期信号部に相当する部分を抜き出し、その周波数を判別することにより、ノーマルバンドかハイバンドかを検出する。
【００１８】
一方、ノーマル及びハイバンドイコライザ４０，４１は、磁気テープ及び磁気ヘッド系で損失するＦＭ信号の、特に高域部分を補正するものである。ノーマル及びハイバンドイコライザ４０，４１の出力は切換スイッチ４３の選択される側の端子Ｌ又はＨに接続されており、Ｌ又はＨは、ハイバンド検出器４２からの制御信号により切り換えられる。
【００１９】
切換スイッチ４３を経た信号はＦＭ復調器４４にて復調される。ノーマルバンドとハイバンドとは、復調感度が相違するので、スイッチ４３の切り換えをハイバンド検出器４２からの制御信号により行う。ＦＭ復調器４４の出力は、元の映像信号に戻っているが復調時の搬送波除去を行うために、ローパスフィルタ（ＬＰＦ１）４５及びローパスフィルタ（ＬＰＦ２）４６を介して出力される。これらの出力は、切換スイッチ４７の選択端子Ｌ，Ｈに接続される。この切換スイッチ４７もハイバンド検出器４２からの制御信号により切り換えられる。
【００２０】
これらローパスフィルタ（ＬＰＦ１）４５及びローパスフィルタ（ＬＰＦ２）４６に差があるのは、変調周波数の差によるものであるが、当然、ローパスフィルタ（ＬＰＦ２）４６の方が、カットオフ周波数が高く設定される。
切換スイッチ４７の中点からは輝度信号が端子３０に出力される。端子３０に出力される輝度信号の水平解像度はノーマルバンドで約２４０ＴＶ本、ハイバンドで約４００ＴＶ本である。ハイバンド検出器４２の出力である制御信号は後述する切換手段３２及び３４（図１参照）を制御するために信号線３３を介して出力される。
【００２１】
次に図１の記録用ＶＴＲ５１ａについて説明する。輝度信号再生処理回路１４から端子３０に到来する再生輝度信号は、ローパスフィルタ１９に入力されると共に、切換手段３２の一方の選択端子にも入力される。切換手段３２の他方の選択端子には、ローパスフィルタ１９の出力が入力される。切換手段３２の中点は輝度信号記録処理回路２０に接続され、この中点を通過した信号はＶＨＳ方式に準じたＦＭ変調処理を受け、加算器２３に導かれる。
【００２２】
切換手段３２を設けた理由を次にに説明する。前述の従来例で説明したように、ＶＨＳ方式の記録処理は、ローパスフィルタ（ＬＰＦ）１９及びバンドパスフィルタ（ＢＰＦ）２１により、各々輝度信号及び色信号に分離した後、輝度信号記録処理回路２０及び色信号記録処理回路２２で処理される。ここで、ローパスフィルタ１９は、色信号の妨害を極力少なくするために、ＮＴＳＣ方式の場合、色搬送波周波数である３．５８ＭＨｚにおいて、４０ｄＢ以上の減衰量を有する。この影響により、３ＭＨｚ付近では例えば１０ｄＢ程度の減衰量となる。このように帯域制限された輝度信号は、ＶＨＳ規格のＦＭ変調を受ける。さらに、このＦＭ変調波の下側波帯は、記録時に低域変換された色信号（６２９ＭＨｚ±０．５ＭＨｚ）と干渉を生じさせないために、輝度信号記録処理回路２０にてハイパスフィルタ（図示せず）の処理を受ける。このために、結果として、記録、再生される輝度信号は水平解像度で２４０ＴＶ本程度となってしまう。
【００２３】
これと同様のことが再生側の８ミリ方式のＶＴＲにも言える。即ち、端子３０に入力されるノーマルバンドの輝度信号は記録時にＶＨＳ方式と同様な処理がなされているので、ローパスフィルタ１９を通すことは、さらに輝度信号の高域成分を減衰させることになる。従って、ノーマルバンドの時はローパスフィルタ１９をバイパスさせるように切換手段を設けた。
【００２４】
他方、水平解像度が４００ＴＶ本以上のハイバンド輝度信号が端子３０に入力されたときは、ローパスフィルタ１９を通して帯域制限しておく必要がある。これは上述したように、ＶＨＳ規格では高々、水平解像度が２４０ＴＶ本しか再現できないこと、低域変換色信号とＦＭ輝度信号との干渉を防止するためである。切換手段３２の制御信号は、図２で説明したように、再生用ＶＴＲのハイバンド検出器４２から出力されるものを利用する。
【００２５】
端子３１に入力される色信号は、再生色信号処理回路１６にて、例えば、ＮＴＳＣ方式の場合、３．５８ＭＨｚ±０．５ＭＨｚの色信号になって処理されている。色信号は、ノーマルバンド、ハイバンド共に、処理方法は同じである。これも輝度信号と同じく、バンドパスフィルタ２１ａを通すことは、色信号の上下側帯波を減衰させることになるので、ノーマルバンド時は、バンドパスフィルタ２１ａをバイパスさせて切換手段３４に導いている。ここでは、従来例との比較もあって、バンドパスフィルタ２１ａとしてあるが、輝度信号と相違してノーマルバンド、ハイバンドとも処理に差はないので、ハイバンド時にバンドパスフィルタ２１ａを通す必要はない。しかし、ハイバンド時には輝度信号がローパスフィルタ１９を通過するときフィルタの群遅延により時間遅れを起こす。このため色信号との時間を合わせる必要がある。従って、バンドパスフィルタ２１ａは広帯域の遅延線というべきものである。以上説明のように、色信号は従来に比べてノーマルバンド、ハイバンドとの帯域制限を受けることなく記録されることが可能となる。
【００２６】
【発明の効果】
以上説明したように、本発明によれば、再生用ＶＴＲから送出されるノーマルバンド再生輝度信号は、記録用ＶＴＲのローパスフィルタ１９により輝度信号の高域成分が失われることがなく、記録用ＶＴＲで記録することが可能となる。さらに、再生信号は、再生時の側帯波を保持したまま記録することができる。従って、これらの信号は従来に比べてよろ高画質のダビングが可能となる。そして、従来のダビング時に失われていた輝度信号成分の高域成分、色信号成分の側帯波成分が記録側フィルタによて失われずに記録されるので、より忠実度の高いダビングが可能となる。
【図面の簡単な説明】
【図１】本発明の一実施例ブロック構成図である。
【図２】図１に示す輝度信号再生処理回路の詳細ブロック図である。
【図３】従来のダブルデッキＶＴＲの要部ブロック構成図である。
【符号の説明】
１０…記録済みテープ
１１…再生ヘッド
１２…プリアンプ
１３…ハイパスフィルタ
１４…輝度信号再生処理回路
１５，１９，４５，４６…ローパスフィルタ
１６…色信号再生処理回路
１７…加算器
２０…輝度信号記録処理回路
２１，２１ａ…バンドパスフィルタ
２２…色信号記録処理回路
２３…加算器
２４…記録アンプ
２５…記憶ヘッド
２６…記憶テープ
３２，３４，４３，４７…切換スイッチ
４０…ノーマルＦＭイコライザ
４１…ハイバンドＦＭイコライザ
４２…ハイバンド検出器
４４…ＦＭ復調器
５０，５０ａ…再生用ＶＴＲ
５１，５１ａ…記録用ＶＴＲ
【図１】
0003681783.tif 000002
【図２】
0003681783.tif 000003
【図３】
0003681783.tif 000004